(57)【要約】【課題】縮小化が可能なレンズ鏡筒を提供する。【解決手段】本発明のレンズ鏡筒は、第１の面６ａにおいて第１のリードを有する第１リードメスヘリコイド１８ａが設けられた第１の領域Ｚ１と、第１のリードより小さい第２のリードを有する第２リードメスヘリコイド１８ｂ，１８ｃが設けられた第２の領域Ｚ２，Ｚ３とを備え、第２のヘリコイド２４は、第２の面２１ａに設けられた所定高さｈの突状部分であって、両端に第１リードメスヘリコイド１８ａと平行な辺を含む端面３０ａ，３０ｂ、４０ａ，４０ｂ、及び長手方向に沿って第２リードメスヘリコイド１８ｂ，１８ｃと平行且つ所定高さｈよりも浅い溝２５を有し、第１の領域Ｚ１において第２のヘリコイド２４の端面３０ａ，３０ｂ、４０ａ，４０ｂと第１リードメスヘリコイド１８ａが螺合し、第２の領域Ｚ２，Ｚ３において第２のヘリコイド２４の溝２５と第２リードメスヘリコイド１８ｂ，１８ｃが螺合する。【選択図】図５
2008256988.tif 000002
【特許請求の範囲】
【請求項１】
第１の面に第１のヘリコイドが設けられた第１の筒体と、
前記第１の面に対向する第２の面に第２のヘリコイドが設けられた第２の筒体と、
を備えるレンズ鏡筒であって、
前記第１の筒体は、前記第１の面において、第１のリードを有する第１リードヘリコイドが設けられた第１の領域と、前記第１のリードより小さい第２のリードを有する第２リードヘリコイドが設けられた第２の領域とを備え、
前記第２のヘリコイドは、前記第２の面に設けられた所定高さの突状部分であって、平面上に展開した状態において、両端に前記第１リードヘリコイドと平行な端面、及び前記第２リードヘリコイドと平行且つ前記所定高さよりも浅い溝を有し、
前記第１の領域において前記第２のヘリコイドの前記端面と前記第１リードヘリコイドとが螺合し、
前記第２の領域において前記第２のヘリコイドの前記溝と前記第２リードヘリコイドとが螺合することを特徴とするレンズ鏡筒。
【請求項２】
請求項１に記載のレンズ鏡筒であって、
前記第２のヘリコイドは、交互に配置された第２のヘリコイドＡと第２のヘリコイドＢとからなり、
前記第２のヘリコイドＡ及び前記第２のヘリコイドＢは、平面上に展開した状態において、互いに点対称に配置された同形状のものであり、それぞれが、互いに平行な２辺を少なくとも３組備える多角形形状であり、
前記３組の互いに平行な２辺が、
前記第１リードヘリコイドと平行な前記端面を構成する平行な２辺と、
前記溝と平行な２辺と、
前記第１の筒体の縁部と平行な被写体側の辺及び像側の辺と、を含み、
前記第２のヘリコイドＡにおいて前記溝は、平面上に展開した状態において前記被写体側の辺と前記端面との間を延び、
前記第２のヘリコイドＢにおいて前記溝は、平面上に展開した状態において前記端面と前記像側の辺との間を延びていることを特徴とするレンズ鏡筒。
【請求項３】
請求項２に記載のレンズ鏡筒であって、
前記第２リードヘリコイドは、
前記第１リードヘリコイドの延長線に端部を有する第２リードヘリコイドＡと、
前記第１リードヘリコイドの延長線と交差してさらに延在する第２リードヘリコイドＢと、を交互に有することを特徴とするレンズ鏡筒。
【請求項４】
請求項２又は３に記載のレンズ鏡筒であって、
前記第２の領域が、沈胴領域と、ワイド状態とテレ状態との間を移動するワイド−テレ領域との２つの領域であり、
前記第１の領域が、前記沈胴領域と前記ワイド−テレ領域との間の繰り出し領域であることを特徴とするレンズ鏡筒。
【請求項５】
請求項４に記載のレンズ鏡筒であって、
前記繰り出し領域から前記ワイド−テレ領域に移行する際に、
前記第２リードヘリコイドＡが、前記第２のヘリコイドＢの前記端面から前記像側の辺に向かって前記溝を進み、
前記第２リードヘリコイドＢは、前記第２のヘリコイドＡの前記被写体側の辺から前記端面に向かって前記溝を進むことを特徴とするレンズ鏡筒。
【請求項６】
請求項４に記載のレンズ鏡筒であって、
前記繰り出し領域から前記沈胴領域に移行する際に、
前記第２リードヘリコイドＡは、前記第２のヘリコイドＡの前記端面から前記被写体側の辺に向かって前記溝を進み、
前記第２リードヘリコイドＢは、前記第２のヘリコイドＢの前記像側の辺から前記端面に向かって前記溝を進むことを特徴とするレンズ鏡筒。
【請求項７】
請求項１〜６のいずれか１項に記載のレンズ鏡筒を備えるカメラ。
【発明の詳細な説明】
【技術分野】
【０００１】
本発明は、ヘリコイド構造を有するレンズ鏡筒及びカメラに関する。
【背景技術】
【０００２】
従来、２つの筒体を相対的に回転させつつ、ヘリコイドの作用によって、一方の筒体を他方の筒体より繰り出させるレンズ鏡筒が存在する。更に、そのようなレンズ鏡筒において、一方の筒体に、ヘリコイドのリードが異なる複数の領域を設け、回転角に対する繰り出し速度を調整するレンズ鏡筒も存在する。そして、近年のカメラの小型化に伴い、レンズ鏡筒も小型化し、このようなヘリコイド構造の小型化のための種々の方法が提案されている（例えば、特許文献１参照）。
【特許文献１】特開２００６−１１３４１８号公報
【発明の開示】
【発明が解決しようとする課題】
【０００３】
しかし、レンズ鏡筒を小型化又は薄型化した場合、いずれの領域においてもヘリコイド間の十分な摺接面積を保ちつつ確実に螺合させることは容易ではない。
【０００４】
本発明の課題は、小型化又は薄型化された場合であっても、十分な摺接面積を保ちつつ確実に螺合可能なヘリコイド構造を有するレンズ鏡筒を提供することである。
【課題を解決するための手段】
【０００５】
本発明は、以下のような解決手段により課題を解決する。なお、理解を容易にするために、本発明の実施形態に対応する符号を付して説明するが、これに限定されるものではない。
【０００６】
請求項１に記載のレンズ鏡筒は、第１の面（６ａ）に第１のヘリコイド（１８）が設けられた第１の筒体（６）と、第１の面（６ａ）に対向する第２の面（２１ａ）に第２のヘリコイド（２４）が設けられた第２の筒体（２１）と、を備えるレンズ鏡筒（１）であって、前記第１の筒体（６）は、前記第１の面（６ａ）において、第１のリードを有する第１リードヘリコイド（１８ａ）が設けられた第１の領域（Ｚ１）と、前記第１のリードより小さい第２のリードを有する第２リードヘリコイド（１８ｂ，１８ｃ）が設けられた第２の領域（Ｚ２，Ｚ３）とを備え、前記第２のヘリコイド（２４）は、前記第２の面（２１ａ）に設けられた所定高さ（ｈ）の突状部分であって、平面上に展開した状態において、両端に第１リードヘリコイド（１８ａ）と平行な端面（３０ａ，３０ｂ、４０ａ，４０ｂ）、及び前記第２リードヘリコイド（１８ｂ，１８ｃ）と平行且つ前記所定高さ（ｈ）よりも浅い溝（２５）を有し、前記第１の領域（Ｚ１）において前記第２のヘリコイド（２４）の前記端面（３０ａ，３０ｂ、４０ａ，４０ｂ）と前記第１リードヘリコイド（１８ａ）とが螺合し、前記第２の領域（Ｚ２，Ｚ３）において前記第２のヘリコイド（２４）の前記溝（２５）と前記第２リードヘリコイド（１８ｂ，１８ｃ）とが螺合することを特徴とするレンズ鏡筒（１）である。
請求項２に記載のレンズ鏡筒は、請求項１に記載のレンズ鏡筒（１）であって、前記第２のヘリコイド（２４）は、交互に配置された第２のヘリコイドＡ（２４ａ）と第２のヘリコイドＢ（２４ｂ）とからなり、前記第２のヘリコイドＡ（２４）及び前記第２のヘリコイドＢ（２４）は、平面上に展開した状態において、互いに点対称に配置された同形状のものであり、それぞれが、互いに平行な２辺を少なくとも３組備える多角形形状であり、前記３組の互いに平行な２辺が、前記第１リードメスヘリコイド（１８ａ）と平行な前記端面（３０ａ，３０ｂ、４０ａ，４０ｂ）を構成する平行な２辺と、前記溝（２５）と平行な２辺と、前記第１の筒体（６）の縁部と平行な被写体側の辺及び像側の辺と、を含み、前記第２のヘリコイドＡ（２４ａ）において前記溝（２５）は、平面に展開した状態において前記被写体側の辺と前記端面（３０ｂ）との間を延び、前記第２のヘリコイドＢ（２４ｂ）において前記溝（２５）は、平面上に展開した状態において前記端面（４０ａ）と前記像側の辺との間を延びていることを特徴とするレンズ鏡筒（１）である。
請求項３に記載のレンズ鏡筒は、請求項２に記載のレンズ鏡筒（１）であって、前記第２リードメスヘリコイド（１８ｂ，１８ｃ）は、前記第１リードメスヘリコイド（１８ａ）の延長線に端部を有する第２リードヘリコイドＡ（１８ｂａ，１８ｃａ）と、前記第１リードメスヘリコイド（１８ａ）の延長線と交差してさらに延在する第２リードヘリコイドＢ（１８ｂｂ，１８ｃｂ）と、を交互に有することを特徴とするレンズ鏡筒（１）である。
請求項４に記載のレンズ鏡筒は、請求項２又は３に記載のレンズ鏡筒（１）であって、前記第２の領域（Ｚ２，Ｚ３）が、沈胴領域（Ｚ３）と、ワイド状態とテレ状態との間を移動するワイド−テレ領域（Ｚ２）との２つの領域であり、前記第１の領域（Ｚ１）が、前記沈胴領域（Ｚ３）と前記ワイド−テレ領域（Ｚ２）との間の繰り出し領域（Ｚ１）であることを特徴とするレンズ鏡筒（１）である。
請求項５に記載のレンズ鏡筒は、請求項４に記載のレンズ鏡筒（１）であって、前記繰り出し領域（Ｚ１）から前記ワイド−テレ領域（Ｚ２）に移行する際に、前記第２リードヘリコイドＡ（１８ｂａ）が、前記第２のヘリコイドＢ（２４ｂ）の前記端面（４０ａ）から前記像側の辺に向かって前記溝（２５）を進み、前記第２リードヘリコイドＢ（１８ｂｂ）は、前記第２のヘリコイドＡ（２４ａ）の前記被写体側の辺から前記端面（３０ｂ）に向かって前記溝（２５）を進むことを特徴とするレンズ鏡筒（１）である。
請求項６に記載のレンズ鏡筒は、請求項４に記載のレンズ鏡筒（１）であって、前記繰り出し領域（Ｚ１）から前記沈胴領域（Ｚ３）に移行する際に、前記第２リードヘリコイドＡ（１８ｃａ）は、前記第２のヘリコイドＡ（２４ａ）の前記端面（３０ｂ）から前記被写体側の辺に向かって前記溝（２５）を進み、前記第２リードヘリコイドＢ（１８ｃｂ）は、前記第２のヘリコイドＢ（２４ｂ）の前記像側の辺から前記端面（４０ａ）に向かって前記溝（２５）を進むことを特徴とするレンズ鏡筒（１）である。
請求項７に記載のカメラは、請求項１〜６のいずれか１項に記載のレンズ鏡筒（１）を備えるカメラ（２）である。
【０００７】
なお、符号を付して説明した構成は、適宜改良してもよく、また、少なくとも一部を他の構成物に代替してもよい。また、本出願において、説明を容易にするため、各種ヘリコイドはそのヘリコイドが設けられた円筒を展開した場合の展開図上における形状で説明している。しかし、実際には、ヘリコイドは円筒面上に形成されており、展開図上における形状として説明していたとしても、本出願におけるヘリコイドは、円筒面上に設けられたヘリコイドを意味する。
【発明の効果】
【０００８】
本発明によれば、小型化又は薄型化された場合であっても、十分な摺接面積を保ちつつ確実に螺合可能なヘリコイド構造を有するレンズ鏡筒を提供することができる。
【発明を実施するための最良の形態】
【０００９】
以下、図面等を参照して、本発明の実施形態のレンズ鏡筒について説明する。なお、各図において光軸Ａに沿った被写体側に向かう方向をｚプラス方向とする。また、本実施形態のレンズ鏡筒は、例えば、撮影時と非撮影時とで光軸方向の全長が変化する沈胴式のレンズ鏡筒である。
【００１０】
まず、レンズ鏡筒１の全体構成について説明する。図１〜図３は、レンズ鏡筒１を示す図であり、図１はレンズ鏡筒１の沈胴状態における断面図、図２はレンズ鏡筒１のワイド状態における断面図、図３はレンズ鏡筒１のテレ状態における断面図である。
【００１１】
レンズ鏡筒１は、４群構成のズームレンズを形成する第１レンズ群Ｌ１、第２レンズ群Ｌ２、第３レンズ群Ｌ３及び第４レンズ群Ｌ４と、レンズ鏡筒１の像側端部に設けられると共に、カメラ２の本体に固定されたＣＣＤ台３及びその中央に配置されたＣＣＤ４と、ＣＣＤ台３に固定された固定筒６と、固定筒６から被写体側に繰り出すことのできる移動筒７２１，２２，２３と、を備える。また、レンズ鏡筒１は、更に、上述の第１レンズ群Ｌ１を保持する第１保持部１１と、第２レンズ群Ｌ２を保持する第２保持部１２と、第３レンズ群Ｌ３を保持する第３保持部１３と、第４レンズ群を保持する第４保持部１４と、を備えている。
【００１２】
第１レンズ群Ｌ１、第２レンズ群Ｌ２、第３レンズ群Ｌ３及び第４レンズ群Ｌ４は、上述のように４群構成のズームレンズを形成するものである。そして、図２及び図３におけるレンズ群Ｌ１〜Ｌ４が繰り出した状態において、光軸Ａ方向の被写体側から像側に向かい、第１レンズ群Ｌ１、第２レンズ群Ｌ２、第３レンズ群Ｌ３及び第４レンズ群Ｌ４の順番で配置されている。なお、図１における沈胴状態で第３レンズ群Ｌ３は、光軸Ａ上から第４レンズ群Ｌ４と略同位置に退避する。
【００１３】
レンズ鏡筒１の像側端部に配置されるＣＣＤ台３は、略中央部にＣＣＤ４を保持する略円板状の部材である。ＣＣＤ４は、上記レンズ群Ｌ１〜Ｌ４を通過した被写体光を電気信号に変換する光−電気変換素子である。ＣＣＤ４は、第４レンズ群Ｌ４の出射側に配置され、このＣＣＤ４と第４レンズ群Ｌ４との間には、モアレを低減するためのローパスフィルタＬＰＦ１６が設けられている。
【００１４】
固定筒６は、像側の端部がＣＣＤ台３に固定された筒体である。固定筒６の内周面６ａには、後述するメスヘリコイド１８が設けられ、また、固定筒６の一部分には、図示しない駆動源に連結されたギア１９が配置されている。
【００１５】
移動筒７は、固定筒６から繰り出し可能な第１の移動筒２１、第２の移動筒２２及び第３の移動筒２３を有している。第１の移動筒２１は、固定筒６の内径側に収納されており、上述した図示しない駆動源によって回転されるギア１９により回転力を得て、固定筒６に対して光軸Ａ方向に駆動される筒体である。この第１の移動筒２１の外周面２１ａには、後述するオスヘリコイド２４が設けられている。第２の移動筒２２は、第１の移動筒２１の内径側に収容された筒体であり、第１の移動筒２１に対して光軸方向に進退動作が可能となっている。第３の移動筒２３は、第２の移動筒２２の内径側に収容された筒体であり、第２の移動筒２２に対して光軸方向に進退動作が可能となっている。
【００１６】
第１保持部１１は、第１レンズ群Ｌ１をその内径側に保持する円環状の枠体であり、第３の移動筒２３の光軸方向被写体側の端部近傍に設けられている。第２保持部１２は、第２レンズ群Ｌ２を支持する部分であり、第３の移動筒２３の内径側に挿入されている。第２保持部１２は、公知の像ブレ補正制御に応じて第２レンズ群Ｌ２を光軸Ａに直交する面内で駆動し、ＣＣＤ４の撮像面に結像される像の像ブレを低減する図示しない像ブレ補正装置を備えている。第３保持部１３は、第３レンズ群Ｌ３を支持する。
【００１７】
次に、メスヘリコイド１８について詳述する。図４はメスヘリコイド１８を固定筒６を展開し、外側から見た透視図である。なお、説明の便宜のため、メスヘリコイド１８は実線で示す。図中上側ｚプラス側が被写体側、下側ｚマイナス側が像側である。なお、以下、メスヘリコイド１８とオスヘリコイド２４の形状については、特に限定しない限り、説明を容易にするため、この展開図における形状について説明するが、実際は、メスヘリコイド１８及びオスヘリコイド２４は円筒面上に形成されている。
【００１８】
固定筒６はその内周面６ａの中央部に、第１のリードを有する第１リードメスヘリコイド１８ａが設けられた繰り出し領域Ｚ１と、その被写体側に位置し、第１のリードより小さな第２のリードを有する第２リードメスヘリコイド１８ｂが設けられたワイド−テレ領域Ｚ２と、繰り出し領域Ｚ１の像側に位置し、ワイド−テレ領域Ｚ２と同じく第１のリードより小さな第２のリードを有する第３リードメスヘリコイド１８ｃが設けられた沈胴領域Ｚ３と、を備える。なお、いずれの領域においてもメスヘリコイド１８は６条設けられている。
【００１９】
繰り出し領域Ｚ１の第１リードメスヘリコイド１８ａは、周方向に互いに６０度の間隔で設けられ、１条おきにわずかに長さが異なる長メスヘリコイド１８ａａと短メスヘリコイド１８ａｂとを有する。ワイド−テレ領域Ｚ２の第２リードメスヘリコイド１８ｂは、第１リードメスヘリコイド１８ａの延長線ｐ上に端部を有する第２リードメスヘリコイド１８ｂａと、第１リードメスヘリコイド１８ａの延長線ｑと交差してさらに延在し、延長線ｑよりも繰り出し領域Ｚ１側に向かって延びる第２リードメスヘリコイド１８ｂｂと、を有する。沈胴領域Ｚ３の第３リードメスヘリコイド１８ｃも、第１リードメスヘリコイド１８ａの延長線ｐ上に端部を有する第３リードメスヘリコイド１８ｃａと、第１リードメスヘリコイド１８ａの延長線ｑと交差してさらに延在する第３リードメスヘリコイド１８ｃｂとを有する。また、第１リードメスヘリコイド１８ａは、内周面６ａから内径側に突出する第１の高さを有し、第２リードメスヘリコイド１８ｂ及び第３リードメスヘリコイド１８ｃは第１の高さより低い第２の高さを有している。
【００２０】
固定筒６の内周面６ａの被写体側図中ｚプラス側には、固定筒６の端縁に沿ってリブ部２８が形成されている。そして、第２リードメスヘリコイド１８ｂの被写体側図中ｚプラス側は、そのリブ部２８に沿うように形成されている。
【００２１】
次に、オスヘリコイド２４について詳述する。図５は、メスヘリコイド１８と螺合している状態のオスヘリコイド２４を示した沈胴状態における図である。オスヘリコイド２４は、互いに周方向に６０度の間隔となるように６つ設けられている。その６つのオスヘリコイド２４は、交互に配置されたオスヘリコイド２４ａとオスヘリコイド２４ｂとからなり、オスヘリコイド２４ａ及びオスヘリコイド２４ｂは、同形であって互いに点対称に配置されている。
【００２２】
図６は、図５におけるオスヘリコイド２４のＶＩ−ＶＩ線に沿った断面図である。図示するようにオスヘリコイド２４は、所定高さｈの突状部分である。そしてオスヘリコイド２４は、図５及び図６に示すように、ワイド−テレ領域Ｚ２及び沈胴領域Ｚ３における第２リードメスヘリコイド１８ｂ及び第３リードメスヘリコイド１８ｃと平行であり、所定高さｈよりも浅い深さｄの溝２５を有している。また、長手方向の両端に、繰り出し領域Ｚ１における第１リードメスヘリコイド１８ａと平行な端面３０ａ，３０ｂ、４０ａ，４０ｂを備える。また溝２５と平行な２つの側面３１ａ,３１ｂ、４１ａ，４１ｂを備える。さらに、リブ部２８と平行な被写体側側面３２ａ及び像側側面３２ｂと、被写体側側面４２ａ及び像側側面４２ｂと、を備える。オスヘリコイド２４ａにおいて溝２５は、被写体側側面３２ａと端面３０ｂとの間を延びる。また、オスヘリコイド２４ｂにおいて溝２５は、端面４０ａと像側側面４２ｂとの間を延びる。更に、オスヘリコイド２４ａの被写体側側面３２ａ側の先端、及びオスヘリコイド２４ｂの像側端面４２ｂ側の先端は、溝２５と同じ深さに切断されてメスヘリコイド導入部３３が形成されている。
【００２３】
なお、オスヘリコイド２４ｂにおける第２リードメスヘリコイド１８ｃと平行な像側側面４１ｂと第２リードメスヘリコイド１８ｃｂとの間には若干の隙間があり接触していない。これによって、オスヘリコイド２４の寸法精度が緩和されている。
【００２４】
次に、レンズ鏡筒１の動作について説明する。図５で示すように、沈胴状態では、オスヘリコイド２４ａの溝２５に第３リードメスヘリコイド１８ｃａが挿入されている。また、オスヘリコイド２４ｂの溝２５に第３リードメスヘリコイド１８ｃｂが挿入されている。
【００２５】
沈胴状態において図示しない電源スイッチがオン操作されると、駆動源により図１で示すギア１９が回転する。そうすると第１の移動筒２１が固定筒６に対して回転を開始する。図７は沈胴状態からレンズ鏡筒１がワイド位置まで繰り出される途中の繰り出し領域Ｚ１での第１リードメスヘリコイド１８ａとオスヘリコイド２４との螺合状態を示した図である。図８はその斜視図を示した図である。図示するように、オスヘリコイド２４ａ，２４ｂは、第１リードメスヘリコイド１８ａの側面３５によって、端面３０ａ，３０ｂ、４０ａ，４０ｂのそれぞれがガイドされている。
【００２６】
この際、オスヘリコイド２４に溝２５が設けられているが、図６に示すように、この溝２５は、オスヘリコイド２４の突状部分の高さｈより浅い深さｄである。例えば図９で示す比較例のように、溝２５’の深さを高さｈと同じにすると、メスヘリコイド１８ａの側面３５と摺接する面積は、深さｈの２つの突出部の断面積だけとなるが、本実施形態の場合、溝２５の幅にｈからｄを引いた長さを掛けた面積に略相当する分だけ、大きくなる。このように本実施形態によれば、比較例と比べて、端面３０ａ，３０ｂ、４０ａ，４０ｂの面積が大きいため、大きな摺接面積を確保することができる。ゆえに、確実且つ安定した摺動が確保される。また、磨耗による端面３０ａと３０ｂ，４０ａと４０ｂとの間の距離の寸法の減少が少なく、耐久性が向上する。
【００２７】
そして、オスヘリコイド２４の端面３０ａ，３０ｂ、４０ａ，４０ｂが第１リードメスヘリコイド１８ａの側面３５を滑り、第１の移動筒２１の回転によって、第１の移動筒２１は固定筒６に対して被写体方向図中ｚ方向に繰り出していく。この際、繰り出し領域Ｚ１においては、第１リードメスヘリコイド１８ａの第１のリードが、沈胴領域Ｚ３の第３リードメスヘリコイド１８ｃの第２のリードより大きいため、同じ回転角度であっても、オスヘリコイド２４の繰り出し量は沈胴領域Ｚ３よりも大きくなる。
【００２８】
図１０は、図２に示すワイド状態での第２リードメスヘリコイド１８ｂとオスヘリコイド２４との螺合状態を示した図であり、図１１はその斜視図を示した図である。図示するように、第２リードメスヘリコイド１８ｂｂが溝２５に入るようにしてオスヘリコイド２４ａが移動していく。この際、オスヘリコイド２４ａの被写体側側面３２ａには、メスヘリコイド導入部３３が設けられているため、第２リードメスヘリコイド１８ｂｂが溝２５に進入しやすい。また、第２リードメスヘリコイド１８ｂａに溝２５が入るようにしてオスヘリコイド２４ｂが移動していく。
【００２９】
この際、オスヘリコイド２４の溝２５はオスヘリコイド２４の高さｈより浅いｄであり、また第２リードメスヘリコイド１８ｂの高さも低いが、第１の領域Ｚ１と異なり、ワイド−テレ間においては、溝２５の側面と第２リードメスヘリコイド１８ｂの側面との長い範囲でオスヘリコイド２４がガイドされるため、係りが浅くとも確実且つ安定してガイドされる。また、この場合も、オスヘリコイド２４ａにおける第２リードメスヘリコイド１８ｂと平行な被写体側側面３１ａと第２リードメスヘリコイド１８ｂａとの間には若干の隙間があり接触していない。
【００３０】
図１２は、図３に示すテレ状態での第２リードメスヘリコイド１８ｂとオスヘリコイド２４との螺合状態を示した図である。図示するように、溝２５に第２リードメスヘリコイド１８ｂｂ及び第２リードメスヘリコイド１８ｂａが入り込んで、メスヘリコイド１８とオスヘリコイド２４とが確実に螺合している。なお、オスヘリコイド２４ａにおける第２リードメスヘリコイド１８ｂと平行な被写体側側面３１ａと第２リードメスヘリコイド１８ｂａとの間、及びオスヘリコイド２４ｂの第２リードメスヘリコイド１８ｂと平行な像側側面４１ｂと第２リードメスヘリコイド１８ｂｂとの間にも若干の隙間があり接触していない。
【００３１】
以上、本実施形態によると以下の効果がある。
（１）オスヘリコイド２４が溝２５を有し、溝２５はオスヘリコイド２４の高さｈより浅い。したがって、オスヘリコイド２４の端面３０ａ，３０ｂ、４０ａ，４０ｂがメスヘリコイド１８と摺接する面積を大きくすることができ、繰り出し領域Ｚ１においてメスヘリコイド１８とオスヘリコイド２４とを確実且つ安定して螺合させることができる。
（２）メスヘリコイド１８をワイド−テレ領域Ｚ２及び沈胴領域Ｚ３において一つおきに繰り出し領域Ｚ１側に延ばしたため、メスヘリコイド１８のリードが異なる領域間のオスヘリコイド２４の移動がスムーズ行われる。
【００３２】
変形形態
以上、説明した実施形態に限定されることなく、種々の変形や変更が可能であって、それらも本発明の範囲内である。
（１）本実施形態では、メスヘリコイドを及びオスヘリコイドを６条の構成にしたが、これに限定されない。それ以下又はそれ以上の他の条であってもよい。
（２）本実施形態では、オスヘリコイド２４は互いに隣接するオスヘリコイド２４ａ，２４ｂ同士が点対称となっているが、これに限定されず、メスヘリコイド１８によってガイドし得る形であれば点対称出でなくともよい。
（３）本実施形態では、メスヘリコイド１８を固定筒６の内周面６ａに形成し、オスヘリコイド２４を第１の移動筒２１の外周面２１ａに形成したが、これに限定されず、メスヘリコイド１８も移動筒に形成することもできる。
【図面の簡単な説明】
【００３３】
【図１】本発明の実施形態のレンズ鏡筒の沈胴状態における断面図である。
【図２】本発明の実施形態のレンズ鏡筒のワイド状態における断面図である。
【図３】本発明の実施形態のレンズ鏡筒のテレ状態における断面図である。
【図４】メスヘリコイドが設けられた固定筒の内周面の展開図である。
【図５】沈胴状態における、メスヘリコイドとオスヘリコイドとの螺合状態を示した図である。
【図６】図５におけるオスヘリコイドのＶＩ−ＶＩ線に沿った断面図である。
【図７】繰り出し領域でのメスヘリコイドとオスヘリコイドとの螺合状態を示した図である。
【図８】図７の状態の斜視図である。
【図９】図６に対する比較例を示した図である。
【図１０】ワイド状態でのメスヘリコイドとオスヘリコイドとの螺合状態を示す図である。
【図１１】図１０の状態の斜視図である。
【図１２】テレ状態でのメスヘリコイドとオスヘリコイドとの螺合状態を示した図である。
【符号の説明】
【００３４】
１：レンズ鏡筒、６：固定筒、６ａ：内周面、１８：メスヘリコイド、２１：第１の移動筒、２１ａ：外周面、２４：オスヘリコイド、２５：長メスヘリコイド、２６：短メスヘリコイド、Ｚ１：繰り出し領域、Ｚ２：ワイド−テレ領域、Ｚ３：沈胴領域
【図１】
2008256988.tif 000003
【図２】
2008256988.tif 000004
【図３】
2008256988.tif 000005
【図４】
2008256988.tif 000006
【図５】
2008256988.tif 000007
【図６】
2008256988.tif 000008
【図７】
2008256988.tif 000009
【図８】
2008256988.tif 000010
【図９】
2008256988.tif 000011
【図１０】
2008256988.tif 000012
【図１１】
2008256988.tif 000013
【図１２】
2008256988.tif 000014